(57)【要約】【課題】主に、使い勝手の良い斜材固定金具が得られるようにする。【解決手段】建物構造体１２の上部に設置されて斜材１１を固定する斜材固定金具１６，１７に関する。  斜材固定金具１６，１７は、建物構造体１２の上部に固定される平板状の建物固定部３１と、建物固定部３１から上方へ立設されて、斜材１１の下面を受ける斜材受部３２と、斜材受部３２の側部に位置して、斜材１１を連結固定する斜材固定部３３とを有している。  更に、斜材固定金具１６，１７は、斜材１１を上下方向２５に案内すると共に、斜材１１の長手方向の位置決めが可能な斜材ガイド部３４を有している。【選択図】図６
2019056291.tif 000002
【特許請求の範囲】
【請求項１】
建物構造体の上部に設置されて斜材を固定する斜材固定金具において、前記建物構造体の上部に固定される平板状の建物固定部と、該建物固定部から上方へ立設されて、前記斜材の下面を受ける斜材受部と、該斜材受部の側部に位置して、前記斜材を連結固定する斜材固定部とを有し、更に、前記斜材を上下方向に案内すると共に、前記斜材の長手方向の位置決めが可能な斜材ガイド部を有することを特徴とする斜材固定金具。
【請求項２】
請求項１に記載の斜材固定金具において、
前記斜材受部は、高さの異なる２つの受面を有していることを特徴とする斜材固定金具。
【請求項３】
請求項１または請求項２に記載の斜材固定金具において、
前記斜材受部は、勾配の異なる２つの受面を有していることを特徴とする斜材固定金具。
【請求項４】
請求項２または請求項３に記載の斜材固定金具において、
前記２つの受面は、互いに直交する向きを向いていることを特徴とする斜材固定金具。
【請求項５】
請求項１ないし請求項４のいずれか１項に記載の斜材固定金具において、
前記斜材ガイド部が、前記斜材の呼込部を有していることを特徴とする斜材固定金具。
【請求項６】
請求項１ないし請求項５のいずれか１項に記載の斜材固定金具を用いたことを特徴とする屋根。
【請求項７】
請求項６に記載の屋根において、
少なくとも、隅棟を構成する傾斜した２つの屋根面を有すると共に、前記隅棟の両側に位置する前記傾斜した２つの屋根面のうちの一方にのみ太陽電池パネルを設置したことを特徴とする屋根。
【請求項８】
請求項１ないし請求項５のいずれか１項に記載の斜材固定金具を用いたことを特徴とする建物。
【発明の詳細な説明】
【技術分野】
【０００１】
この発明は、斜材固定金具、屋根および建物に関するものである。
【背景技術】
【０００２】
戸建住宅などの建物には、建物本体の上部に傾斜した屋根を有するものが存在している。そして、建物本体の上部に、屋根を構成する斜材を設置固定するのに斜材固定金具が用いられている（例えば、特許文献１〜特許文献５参照）。
【先行技術文献】
【特許文献】
【０００３】
【特許文献１】実開昭６１−１１３８１７号公報
【特許文献２】実開平３−４１００８号公報
【特許文献３】特開平１０−９６２９０号公報
【特許文献４】実開昭５７−５８６０３号公報
【特許文献５】特開平７−３４５８７号公報
【発明の概要】
【発明が解決しようとする課題】
【０００４】
しかしながら、上記特許文献に記載された斜材固定金具は、使い勝手が悪く、改良の余地があった。
【０００５】
例えば、特許文献１〜特許文献３のものは、斜材を連結固定するための斜材固定部が縦向きの面となっていたので、斜材を受け止める機能を有していなかった。
【０００６】
また、特許文献４のものは、斜材を受けるための斜材受部を有しているものの、斜材受部が斜材の端部を受けるようになっていたので、予め斜材の端部を所要の形状に精度良く加工しておく必要があった。
【０００７】
特許文献５のものは、斜材を連結固定するための斜材固定部が位置決め機能を有していなかったので、斜材は長手方向に対する位置調整を行いながら設置する必要があり、斜材を精度良く設置するのに手間が掛っていた。
【０００８】
そこで、本発明は、主に、上記した問題点を解決することを目的としている。
【課題を解決するための手段】
【０００９】
上記課題を解決するために、本発明は、建物構造体の上部に設置されて斜材を固定する斜材固定金具において、前記建物構造体の上部に固定される平板状の建物固定部と、該建物固定部から上方へ立設されて、前記斜材の下面を受ける斜材受部と、該斜材受部の側部に位置して、前記斜材を連結固定する斜材固定部とを有し、更に、前記斜材を上下方向に案内すると共に、前記斜材の長手方向の位置決めが可能な斜材ガイド部を有することを特徴とする。また、上記斜材固定金具を用いた屋根および建物を特徴とする。
【発明の効果】
【００１０】
本発明によれば、上記構成によって、使い勝手の良い斜材固定金具を得ることなどができる。
【図面の簡単な説明】
【００１１】
【図１】実施例１にかかる斜材固定金具を用いた建物の屋根部分の斜視図である。
【図２】図１の隅棟部分の構造を示す拡大斜視図である。
【図３】図１の建物を構成する建物構造体および屋根構造体の斜視図である。
【図４】水上側の斜材固定金具の斜視図である。
【図５】図４の水上側の斜材固定金具を屋根構造体の柱へ取付ける状態を示す分解斜視図である。
【図６】軒元側の斜材固定金具に対して斜材を取付ける状態を示す斜視図である。
【図７Ａ】軒元側の斜材固定金具（中間金具）の梁部分（建物ユニットの天井梁など）に対する取付状態を示す斜視図である。
【図７Ｂ】軒元側の斜材固定金具（中間金具）の別の梁部分（庇延長軒先梁など）に対する取付状態を示す斜視図である。
【図８】軒元側の斜材固定金具（端部金具）の建物構造体のコーナー部に対する取付状態を示す斜視図である。
【図９】軒元側の斜材固定金具（端部金具）の斜視図である。
【図１０Ａ】図９の軒元側の斜材固定金具（端部金具）を矢印Ａの方向から見た側面図である。
【図１０Ｂ】図９の軒元側の斜材固定金具（端部金具）を矢印Ｂの方向から見た側面図である。
【図１０Ｃ】図９の軒元側の斜材固定金具（端部金具）の底面図である。
【図１０Ｄ】図１０ＢのＣ−Ｃ線に沿った縦断面図である。
【図１０Ｅ】図１０ＡのＤ−Ｄ線に沿った縦断面図である。
【図１１】太陽電池パネルを備えていない一般的な屋根面の軒先部分の縦断面図である。
【図１２】（ａ）〜（ｄ）は屋根に対する太陽電池パネルの設置パターンを示す平面図である。
【図１３Ａ】２つの受面が高低差を有すると共に、高低差の関係が図８とは反対になっている軒元側の斜材固定金具（端部金具）の、図８と同様の建物構造体のコーナー部に対する取付状態を示す斜視図である。
【図１３Ｂ】高低差がない２つの低い受面を有する軒元側の斜材固定金具（端部金具）の、図８と同様の建物構造体のコーナー部に対する取付状態を示す斜視図である。
【図１３Ｃ】高低差がない２つの高い受面を有する軒元側の斜材固定金具（端部金具）の、図８と同様の建物構造体のコーナー部に対する取付状態を示す斜視図である。
【図１４】太陽電池パネルを備えた屋根面の軒先部分の縦断面図である。
【図１５Ａ】実施例２にかかる軒元側の斜材固定金具（中間金具）を屋外側から見た図である。
【図１５Ｂ】図１５Ａの底面図である。
【図１５Ｃ】図１５ＡのＥ−Ｅ線に沿った縦断面図である。
【図１６Ａ】実施例２の変形例にかかる軒元側の斜材固定金具（中間金具）を屋外側から見た図である。
【図１６Ｂ】図１６Ａの底面図である。
【図１６Ｃ】図１６ＡのＦ−Ｆ線に沿った縦断面図である。
【発明を実施するための形態】
【００１２】
以下、本実施の形態にかかる各実施例を、図面を用いて詳細に説明する。
図１〜図１６Ｃは、この実施の形態を説明するためのものである。このうち、図１〜図１４は実施例１、図１５Ａ〜図１６Ｃは実施例２およびその変形例である。
【実施例１】
【００１３】
＜構成＞以下、構成について説明する。
【００１４】
図１は、戸建住宅などの建物１の屋根２を示す斜視図である。この屋根２は、中央に平面視ほぼ矩形状をした水平な屋根面３（水平屋根面または陸屋根面）を有すると共に、水平な屋根面３の周囲に下り勾配で傾斜した４つの屋根面４（傾斜屋根面）を有する寄棟屋根などとなっている。なお、中央に位置する屋根面３は、水平且つ平坦なものに限ることなく、例えば、四角錐状のものなどにすることができる。また、下り勾配で傾斜した４つの屋根面４（傾斜屋根面）を有する屋根形状は、寄棟屋根に限るものではない。４つの屋根面４は、必要な場合には、東西南北の方角を概略で示す（Ｅ）（Ｗ）（Ｓ）（Ｎ）を付すことによって、区別できるようにしている。
【００１５】
そして、傾斜した４つの屋根面４は、隣接する２つの屋根面４が、斜めに降りる稜線を有して山状に合わされる隅棟６を構成している。隅棟６とは、寄棟造りなどの屋根２で、屋根面４が互いに接する部分にできる、隅に向かって傾斜した棟（隅降棟）のことである。または、屋根２の隅で斜め方向に降りている棟のことである。
【００１６】
傾斜した屋根面４は、それぞれ平面視ほぼ台形状をしている。台形状の各屋根面４は、それぞれ両側に位置する三角形状の屋根パネル７と、この三角形状の屋根パネル７の間に位置する単数または複数枚の四角形状の屋根パネル８とを適宜組み合わせて構成されている。但し、三角形状の屋根パネル７は、隅棟６を形成できれば、例えば、台形状の屋根パネル７などとしても良い。隅棟６は、図２に示すように、各屋根面４の両側に位置する三角形状の屋根パネル７どうしが合わされることによって形成されている。但し、傾斜した屋根面４は、必ずしも屋根パネル７，８によって構成したパネル構造のものでなくても良い。
【００１７】
そして、傾斜した屋根面４は、図３に示すように、斜材１１を用いて構成されている。斜材１１は、主に、屋根面４を構成するための構造材として用いられるものであり、例えば、三角形状の屋根パネル７や、四角形状の屋根パネル８の枠部を構成する縦枠材などとすることができる。また、斜材１１は、屋根パネルの縦枠材以外のものとしても良い。斜材１１には、木材や金属材などが用いられる。この実施例では、斜材１１を木材としている。
【００１８】
このような斜材１１は、建物本体（または建物躯体）を構成する建物構造体１２や、屋根２を構成する屋根構造体１３（または小屋組部材）に、斜材固定金具１５〜１７を用いて固定される。なお、斜材固定金具１５〜１７は、屋根取付金具として作られているが、屋根２を構成する斜材１１以外の斜材１１に対して用いることも可能な構造になっている。
【００１９】
斜材固定金具１５〜１７には、屋根構造体１３の上部に取付けられる水上側の斜材固定金具１５や、建物構造体１２の上部に取付けられる軒元側の斜材固定金具１６，１７などがある。
【００２０】
更に、軒元側の斜材固定金具１６，１７には、建物構造体１２の上部における梁部分１８の中間部などに取付けられる中間金具（斜材固定金具１６）や、建物構造体１２の上部における梁部分１８の端部（または、建物構造体１２のコーナー部）などに取付けられるコーナー金具または端部金具（斜材固定金具１７）などがある。
【００２１】
このうち、水上側の斜材固定金具１５は、例えば、図４、図５に示すようなものとすることができる。この水上側の斜材固定金具１５は、左右勝手違いのものを２つ組み合わせて使用できるようになっており（斜材固定金具１５（Ｒ）および斜材固定金具１５（Ｌ））、屋根構造体１３の４つのコーナー部に対し、それぞれ２つ組み合わせた状態で取付けられる。
【００２２】
水上側の斜材固定金具１５は、屋根構造体１３の上部に固定される屋根固定部２１と、この屋根固定部２１に取付けられて、斜材１１の下面を受ける斜材受部２２と、斜材受部２２の側部に位置して、斜材１１を連結固定する斜材固定部２３とを有している。
【００２３】
ここで、屋根固定部２１は、縦向きの金属板を、上下方向２５に延びる折線に沿って複数の面を形成するように曲げ加工したものであり、そのうちの１つの面２１ａが、屋根構造体１３を構成する柱部１３ａに当接されて、ボルト・ナットなどの締結具２６ａによって横方向に締結固定される。また、水上側の斜材固定金具１５を２つ組み合わせた時に、左右の屋根固定部２１における互いに当接する面２１ｂどうしをボルト・ナットなどの締結具によって横方向に締結固定して一体化することができるようになっている。なお、ボルト・ナットなどの締結具や固定具には、ワッシャやバネワッシャなどを適宜用いることができる。また、ボルト・ナットなどの締結具を取付ける部分には、ネジ孔などを適宜設けることができる。
【００２４】
斜材受部２２は、上記した三角形状の屋根パネル７を構成する縦枠材（斜材１１）と、四角形状の屋根パネル８を構成する縦枠材（斜材１１）とを同時に受けることができるように、三角形状の面２２ａと四角形状の面２２ｂとを組み合わせた複雑な平面形状を有している。
【００２５】
斜材固定部２３は、斜材受部２２の各面２２ａ，面２２ｂに対してそれぞれ別々に設けられている（斜材固定部２３ａ，２３ｂ）。斜材固定部２３は、斜材受部２２（の各面２２ａ，面２２ｂ）の外側部からそれぞれ立ち上がる縦面部と、縦面部の上部から斜材受部２２とは反対側に屈曲された横面部とを有している。この場合、斜材固定部２３の横面部に、斜材１１の側面に取付けた取付金具１１ａ（例えば、Ｌ型金具など）をボルト・ナットなどの締結具で上下方向２５に締結固定することで、斜材１１を取付けるようにしている。但し、斜材固定部２３に対する斜材１１の取付け方は上記に限るものではない。
【００２６】
そして、斜材受部２２と斜材固定部２３とは、一枚の（ほぼ横向きの）金属板によって構成することができる。この斜材受部２２は、別部材として構成された屋根固定部２１の上端部に溶接固定して一体化することができる。
【００２７】
そして、以上のような構成に対し、この実施例は、以下のような構成を備えている。
【００２８】
（１−１）まず、主に図６を参照しながら、この実施例にかかる（軒元側の）斜材固定金具１６，１７について説明する。
【００２９】
軒元側の斜材固定金具１６，１７は、例えば、図７Ａ（または図７Ｂ）の斜材固定金具１６（中間金具）の例で示すように、建物構造体１２の上部に固定される平板状の建物固定部３１と、建物固定部３１から上方へ立設されて、斜材１１の下面を受ける斜材受部３２と、斜材受部３２の側部に位置して、斜材１１を連結固定する斜材固定部３３とを有している。更に、軒元側の斜材固定金具１６，１７は、斜材１１を上下方向２５に案内すると共に、斜材１１の長手方向の位置決めが可能な斜材ガイド部３４を有している。
【００３０】
ここで、建物固定部３１は、上記したように建物構造体１２の上部の梁部分１８の中間部や端部などに上方から当接されて、ボルト・ナットなどの締結具２６ｂによって上下方向２５に締結固定されるものである。建物構造体１２の上部の梁部分１８は、図７Ａに示すような横向きのＵ字状をした梁部材１８ａ（型鋼）や、図７Ｂに示すようなＣ字状の梁部材１８ｂ（Ｃチャンネル材）やその他のものなどとすることができる。なお、図７Ａの梁部材１８ａは、主に、後述する建物ユニットの天井梁などとして使われているものである。また、図７Ｂの梁部材１８ｂは、主に、庇延長軒先梁などとして使われるものである。
【００３１】
斜材受部３２は、建物固定部３１の縁部から上方へ延びる縦面部３５と、縦面部３５の上部に屈曲形成された横面部３６とを有するものとされる。このうち、縦面部３５は、少なくとも、建物固定部３１へボルト・ナットなどの締結具２６ｂを取付ける際に、締結具２６ｂが横面部３６と干渉しないようにするのに必要な長さを有している。
【００３２】
また、横面部３６は、建物固定部３１の上部（の少なくとも一部）を覆うように建物固定部３１の上方へ屈曲されると共に、斜材１１の下端側（軒元側）の下面に沿った角度を有する斜めの受面（傾斜受面）などとされている。斜材受部３２は、全体として斜材１１の下面のほぼ整数倍以上の幅寸法を有するものとされる。建物固定部３１と斜材受部３２は、側方から見て横に向いたほぼＪ字状などとなるように一体的に設けられる。
【００３３】
斜材固定部３３は、梁部分１８の上面に沿って、斜材受部３２および建物固定部３１の片側または両側に並設された、斜材受部３２よりも高く上方へ延びる部材となっている。斜材固定部３３は、少なくとも、建物固定部３１と一体に設けられる。斜材固定部３３は、所要の強度を持たせるために、上方から見て建物固定部３１とは反対側へ向いたほぼＵ字状の断面形状を有している。軒元側の斜材固定金具１６，１７は、一枚の金属板を曲げて形成することが可能な形状となっている。
【００３４】
Ｕ字状をした斜材固定部３３のウェブ部３３ａは、斜材１１の側面に当接し得るようになっている。また、Ｕ字状をした斜材固定部３３のフランジ部３３ｂ，３３ｃは、同じ幅に形成しても良いが、互いに異なる幅としても良い。この実施例では、建物構造体１２の外側（屋外側）に位置するフランジ部３３ｂを、建物構造体１２の内側（屋内側）に位置するフランジ部３３ｃよりも広幅にしている。
【００３５】
斜材ガイド部３４は、斜材固定部３３（のウェブ部３３ａ）に対して設けることができる。斜材ガイド部３４は、主に、斜材固定部３３のウェブ部３３ａの上端部から下方へ延びるガイド溝部、または、上下方向２５に延びる細長いＵ字状の切込部などとして構成されている。
【００３６】
このガイド溝部は、斜材１１の下端側に予め内方へ突出するように横向きに取付けられた支軸部３８（図６）を上から落とし込んで下方へ案内することにより、斜材１１を上下方向２５などに係止保持できるようにするものである。ガイド溝部は、支軸部３８の直径とほぼ同じ幅とされる。ガイド溝部は、斜材１１の下面が斜材受部３２の横面部３６の上面に当接するまでの長さを有するものとするのが好ましい。同時に、支軸部３８を上下方向２５に案内することで、斜材１１の長手方向に対する位置決めが自然に行われるようになっている。斜材１１の長手方向は、斜材１１の延設方向のことである。
【００３７】
支軸部３８には、斜材１１の幅寸法よりも長いボルトなどを用いることができる。そして、斜材ガイド部３４による支軸部３８の案内後に、支軸部３８に、ナット３８ａなどを螺着することで、斜材固定部３３に対する斜材１１の本固定が行われる。また、斜材１１の本固定の際には、斜材固定金具１６，１７における平面視ほぼＵ字状をした斜材固定部３３の内部に、平面視ほぼＵ字状をしたジョイント金具３９などを介装して、ジョイント金具３９と斜材固定部３３のフランジ部３３ｂ，３３ｃとの間をボルト・ナットなどの固定具２６ｃによって固定するようにしても良い。
【００３８】
なお、以上は、軒元側の斜材固定金具１６，１７に共通の構成である。
【００３９】
以下、建物構造体１２の上部のコーナー部に設置される軒元側の斜材固定金具１７（端部金具）に特有の構成について説明する。
【００４０】
（１−２）図８、図９（主に、図９参照）に示すように、斜材固定金具１７（端部金具）では、斜材受部３２は、高さの異なる（または高低差４１を有する）２つの受面４２，４３を有するものとしても良い。
【００４１】
ここで、斜材受部３２の受面４２，４３は、それぞれ同じ高さにすることもできるが、必要な場合には、上記したように、それぞれ高さを異ならせて高低差４１を持たせることができる。受面４２，４３の高さは、各屋根面４の形状または構造や、各屋根面４の高さ関係などに合わせて設定される。図９では、一方の受面４２が他方の受面４３よりも高くなっているが、受面４２，４３の高さ関係は、これに限るものではない。この場合も、各受面４２，４３は、それぞれ、斜材１１の下面の整数倍以上の幅寸法とされる。
【００４２】
斜材受部３２の２つの受面４２，４３の高低差４１は、主に、縦面部３５（の高さを異ならせること）によって設定される。そのため、受面４２，４３を高さ違いにするのに、２つの受面４２，４３は、それぞれ分離されると共に、それぞれ独立（または分離）して形成された縦面部３５ａ，３５ｂに対して設けられる。建物固定部３１ａ，３１ｂも、受面４２，４３や縦面部３５ａ，３５ｂに合わせてそれぞれ別々に形成することができる。
【００４３】
（１−３）斜材受部３２は、勾配５１，５２の異なる２つの受面４２，４３を有するようにしても良い（勾配５１＜勾配５２、または、勾配５１＞勾配５２）。
【００４４】
ここで、斜材受部３２の受面４２，４３の勾配５１，５２は、図１０Ａ〜図１０Ｅに示すように、同じにすることもできる（勾配５１＝勾配５２）が、必要な場合には、上記したように異ならせることもできる。斜材受部３２の受面４２，４３の角度（勾配５１，５２）は、各縦面部３５ａ，３５ｂに対する各受面４２，４３の屈曲角度によって設定される。斜材受部３２の受面４２，４３の角度は、各屋根面４の形状または構造や、各屋根面４の勾配などに合わせて設定することができる。
【００４５】
（１−４）２つの受面４２，４３は、互いに直交する向きを向くようにしても良い（図９、図１０Ｃ参照）。
【００４６】
ここで、２つの受面４２，４３は、隣接する屋根面４を構成する斜材１１をそれぞれ同時に受けることができるものとされる。そのために、２つの受面４２，４３は、建物構造体１２のコーナー部を形成している直交する２本の梁部（梁部分１８）の端部またはその近傍の位置に設置できるようにしている（図８参照）。
【００４７】
なお、２つの受面４２，４３と繋がっている建物固定部３１ａ，３１ｂは、矩形状の平面部３１ｃによって一体に連結される。この平面部３１ｃは、２本の梁部（梁部分１８）の端部を支持する柱部６１の上端部を覆うものなどとすることができる。
【００４８】
（１−５）上記斜材固定金具１５〜１７を用いて屋根２を構成する。以下、上記斜材固定金具１５〜１７を用いて構成された屋根２について説明する。
【００４９】
屋根２は、例えば、図１のように、水平な屋根面３と傾斜した４つの屋根面４とを有するものなどとすることができるが、傾斜した４つの屋根面４は、例えば、図１１に示すように、斜材１１の上部に取付けた野地板７１と、野地板７１の上部に貼設したルーフィング材７２（防水シート）と、ルーフィング材７２の上部に設置した屋根材７３とを有するものとすることができる。
【００５０】
そして、このような屋根２の屋根面４は、図３に示すように、上記斜材固定金具１５〜１７や斜材１１を用いて構築することができる。図では、傾斜した屋根面４を構成する屋根パネル７，８の縦枠材などが斜材１１なっている。そして、軒元側の斜材固定金具１６，１７は、斜材１１の軒元側の部分を建物構造体１２（の上部の梁部分１８）に固定するのに使われている。
【００５１】
（１−６）上記した屋根２は、図１２に示すように、少なくとも、隅棟６を構成する傾斜した２つの屋根面４を有すると共に、隅棟６の両側に位置する傾斜した２つの屋根面４のうちの一方にのみ太陽電池パネル９１を設置するようにしても良い。
【００５２】
ここで、上記した屋根２は、傾斜した４つの屋根面４を有しており、傾斜した４つの屋根面４は、少なくともその一つに太陽電池パネル９１を設置することができる。例えば、図１２（ａ）に示すように、太陽電池パネル９１は、屋根２における南側の屋根面４（Ｓ）のみに設けることができる。この場合、北側の屋根面４（Ｎ）や東側の屋根面４（Ｅ）や西側の屋根面４（Ｗ）は太陽電池パネル９１を有さない屋根面４となる。
【００５３】
図１２（ｂ）に示すように、太陽電池パネル９１は、南側の屋根面４（Ｓ）と西側の屋根面４（Ｗ）とに設けることができる。この場合、北側の屋根面４（Ｎ）や東側の屋根面４（Ｅ）は太陽電池パネル９１を有さない屋根面４となる。
【００５４】
図１２（ｃ）に示すように、太陽電池パネル９１は、東側の屋根面４（Ｅ）と南側の屋根面４（Ｓ）とに設けることができる。この場合、北側の屋根面４（Ｎ）や西側の屋根面４（Ｗ）は太陽電池パネル９１を有さない屋根面４となる。
【００５５】
図１２（ｄ）に示すように、太陽電池パネル９１は、東側の屋根面４（Ｅ）と西側の屋根面４（Ｗ）と南側の屋根面４（Ｓ）とに設けることができる。この場合、北側の屋根面４（Ｎ）は太陽電池パネル９１を有さない屋根面４となる。
【００５６】
そして、上記したように、屋根２に太陽電池パネル９１を設けることで、太陽電池パネル９１を有する屋根面４と、太陽電池パネル９１を有さない屋根面４とが隣接する隅棟６ができる。太陽電池パネル９１を有する屋根面４と、太陽電池パネル９１を有さない屋根面４とが隣接する隅棟６では、図８および図１３Ａに示すように、高さが異なる２つの受面４２，４３を有する斜材固定金具１７を用いるようにするのが好ましい。
【００５７】
この際、太陽電池パネル９１を有する屋根面４は、太陽電池パネル９１を有さない屋根面４よりも上面の位置が高くなるので、その分、太陽電池パネル９１を有する屋根面４の側の受面４２，４３が低くなり、太陽電池パネル９１を有さない屋根面４の側の受面４２，４３が高くなっている斜材固定金具１７を使用する。例えば、図８では、太陽電池パネル９１を有していない側となる一方の受面４２が高くなり、太陽電池パネル９１を有する側となる他方の受面４３が低くなっている。また、図１３Ａでは、太陽電池パネル９１を有する側となる一方の受面４２が低くなり、太陽電池パネル９１を有していない側となる他方の受面４３が高くなっている。
【００５８】
なお、隣接する屋根面４が、太陽電池パネル９１を有する屋根面４どうし、または、太陽電池パネル９１を有さない屋根面４どうしとなる場合には、傾斜した屋根面４全体としての上面の高さを揃えるために、図１３Ｂおよび図１３Ｃに示すように、高さが同じ２つの受面４２，４３を有する斜材固定金具１７を用いるようにするのが好ましい。
【００５９】
この際、太陽電池パネル９１を有する屋根面４どうしが隣接する場合には、受面４２，４３が２つとも低くなっている斜材固定金具１７（図１３Ｂ）を使用する。また、太陽電池パネル９１を有さない屋根面４どうしが隣接する場合には、受面４２，４３が２つとも高くなっている斜材固定金具１７（図１３Ｃ）を使用する。
【００６０】
そして、太陽電池パネル９１を取付けた屋根面４は、図１４に示すように、図１１の屋根材７３の代わりに、ルーフィング材７２の上部に下地鋼板８５を設置すると共に、下地鋼板８５に太陽電池取付金具を取付け、太陽電池取付金具を用いて太陽電池パネル９１を取付けるようにしている。また、図１１の場合には、高い受面を有する斜材受部３２を備えた斜材固定金具１６を使用しているのに対し、図１４の場合には、低い受面を有する斜材受部３２を備えた斜材固定金具１６を使用するようにしている。
【００６１】
なお、屋根面４のその他の構成については、基本的に図１１のものとほぼ同じにするのが好ましい。太陽電池パネル９１は、工場などで屋根パネル７，８に対して予め組み込むことができる。
【００６２】
このように、様々な高さの受面４２，４３を有する複数種類の斜材固定金具１５〜１７を屋根面４の厚みや構成などに応じて使い分けることにより、傾斜した４つの屋根面４を、上面の高さを全て揃えて見栄え良く設置することが可能になる。
【００６３】
（１−７）上記斜材固定金具１５〜１７を用いた屋根２を有する建物１を構築する。以下、上記斜材固定金具１５〜１７を用いた屋根２を有する建物１について説明する。
【００６４】
図１に示すように、建物１は、ユニット建物やその他の建物などとすることができる。ユニット建物は、予め工場で製造された（ほぼ直方体状の）建物ユニット９５を建築現場へ搬送して、建築現場で組み立てることにより、短期間のうちに建物１（または建物構造体１２）を構築できるようにしたものである。建物ユニット９５には、鉄骨系のものと木質系のものとが存在しているが、この実施例では、鉄骨系のものとしている。
【００６５】
鉄骨系の建物ユニット９５は、図３に示すように、４本の柱（柱部６１）の上端間を４本の天井梁（梁部分１８）で矩形状に連結し、４本の柱の下端間を４本の床梁で矩形状に連結した、ボックスラーメン構造の骨組み（ユニットフレーム）を有するものとされる。なお、建物１は、鉄骨系のユニット建物に限るものではなく、木質系のユニット建物やその他の建物１とすることができる。
【００６６】
そして、鉄骨系のユニット建物の場合、例えば、大型の建物ユニット９５ａと小型の建物ユニット９５ｂとを３基ずつ使って平面視矩形状をした建物構造体１２（の上階部分）を構成するようにしても良い。または、建物構造体１２（の上階部分）は、小型の建物ユニット９５ｂに替えて図７Ｂに示すような庇延長軒先梁（梁部材１８ｂ）などを用いた構造などとしても良い。
【００６７】
更に、この建物構造体１２（の上階部分）の中央部分に、水平な屋根面３を設置するなどのために屋根構造体１３を設置する。例えば、屋根構造体１３は、４本の柱部１３ａと、４本の柱部１３ａの上端部間を梁１３ｂで矩形状に連結した門型の架構（小屋組部）などとすることができる。
【００６８】
そして、屋根構造体１３（の柱部１３ａ）の上部と、建物構造体１２（の上階部分）の上部（梁部分１８）との間に、三角形状の屋根パネル７や四角形状の屋根パネル８を（直接）斜めに傾けて設置することによって、上記した寄棟屋根などを形成するようにしている。
【００６９】
そして、このようなユニット建物では、建物構造体１２や屋根構造体１３に、予め工場で斜材固定金具１５〜１７を取付けておくようにすることで、現場で簡単に斜材１１（三角形状の屋根パネル７や四角形状の屋根パネル８の縦枠材など）を設置して傾斜した屋根面４を構築することが可能になる。
【００７０】
＜作用＞以下、この実施例の作用について説明する。
【００７１】
図３に示すように、複数の建物ユニット９５などによって建物構造体１２（の上階部分）を組み立てると共に、建物構造体１２（の上階部分）の中央部分に屋根構造体１３を設置する。
【００７２】
この際、工場で予め、屋根構造体１３の上部に、斜材固定金具１５〜１７のうちの水上側の固定金具（斜材固定金具１５）を取付けておくと共に、建物構造体１２（の上階部分）の上部に、斜材固定金具１５〜１７のうちの軒元側の固定金具（斜材固定金具１６，１７）を取付けておくのが好ましい。
【００７３】
そして、上記した斜材固定金具１５〜１７を用いて三角形状の屋根パネル７や四角形状の屋根パネル８を取付けることで傾斜した屋根面４を構築する（図１）。この際、三角形状の屋根パネル７を先に取付け、四角形状の屋根パネル８を三角形状の屋根パネル７の後から取付けるようにする。
【００７４】
先ず、三角形状の屋根パネル７の取付けについて説明する。三角形状の屋根パネル７は、縦枠部に斜材１１を有している。
【００７５】
そして、三角形状の屋根パネル７を構成する斜材１１の軒元側に予め突設した支軸部３８を、軒元側の斜材固定金具１６，１７のガイド部（のガイド溝部）へそれぞれ上から落とし込むようにして、三角形状の屋根パネル７の軒元側を軒元側の斜材固定金具１６，１７に係止保持する（図６）。
【００７６】
同時に、三角形状の屋根パネル７の頂部を水上側の斜材固定金具１５の斜材受部２２（の三角形状の面２２ａ）の上に載置する。
【００７７】
そして、三角形状の屋根パネル７を構成する斜材１１の上端部と斜材受部２２の斜材固定部２３ａとをボルト・ナットなどの締結具で固定する。その後、三角形状の屋根パネル７を構成する斜材１１の軒元側から突設した支軸部３８にナット３８ａなどを螺着して軒元側の斜材固定金具１６，１７に斜材１１の軒元部分を締結固定する。この際、斜材固定金具１６，１７の斜材固定部３３の内部にジョイント金具３９を設置して、ジョイント金具３９と斜材固定部３３のフランジ部３３ｂ，３３ｃとの間をボルト・ナットなどの固定具２６ｃで固定するようにしても良い。
【００７８】
こうして、三角形状の屋根パネル７が取付けられたら、上記とほぼ同様の手順で四角形状の屋根パネル８を取付けることで、傾斜した屋根面４を構築する。また、屋根構造体１３の上面に、水平な屋根面３を取付ける。これにより上記した屋根２（例えば、寄棟屋根やその他の屋根など）が完成される。
【００７９】
＜効果＞この実施例によれば、以下のような効果を得ることができる。
【００８０】
（効果１−１）（軒元側の）斜材固定金具１６，１７は、建物構造体１２の上部に設置して、斜材１１（の軒元側の部分）を固定するのに用いることができる。この斜材固定金具１６，１７は、建物構造体１２の上部に予め固定しておくことができる。この際、斜材固定金具１６，１７の平板状の建物固定部３１を、建物構造体１２の梁部分１８の上部に締結具２６ｂで、上下方向２５に取付けるようにする。
【００８１】
そして、建築現場で斜材１１を設置する際に、建物固定部３１から上方へ立設された斜材受部３２で斜材１１の下面を受けて、斜材受部３２の側部に位置する斜材固定部３３で斜材１１（の側部）を横方向に連結固定する。これにより、斜材１１を簡単に建物構造体１２に固定することができる。
【００８２】
また、斜材受部３２で斜材１１の端面ではなく斜材１１の下面を受けるようにしているので、斜材１１の端面の加工なども不要となる。斜材受部３２で斜材１１の下面を受ける際には、斜材ガイド部３４で斜材１１（の支軸部３８）を上下方向２５にガイドすることができる。そして、斜材ガイド部３４で斜材１１を上下方向２５にガイドすることで、同時に斜材１１の長手方向に対する位置決めが行われる。これにより、斜材１１を建物構造体１２に精度良く、しかも、効率的に固定することができる。
【００８３】
また、斜材固定金具１６，１７は、上記したような建物固定部３１や、斜材受部３２や、斜材固定部３３や、斜材ガイド部３４を一体に備えることで、斜材固定金具１６，１７を建物構造体１２の上部に設置するだけで、簡単確実に斜材１１を精度良く建物構造体１２に固定できるようになるため、合理的な構造を有しており、また、取扱いが容易で、使い勝手が良い。しかも、建物構造体１２や斜材１１などの状況に応じて、後述するような様々な形態のものを作ることができる。
【００８４】
（効果１−２）斜材受部３２は、高さの異なる２つの受面４２，４３を有するようにしても良い。これにより、２つの受面４２，４３は、高さの異なる２つの斜材１１をそれぞれ同時に受けることができる。
【００８５】
（効果１−３）斜材受部３２は、勾配５１，５２の異なる２つの受面４２，４３を有するようにしても良い。これにより、２つの受面４２，４３は、勾配５１，５２が異なる２つの斜材１１をそれぞれ同時に受けることができる。
【００８６】
（効果１−４）２つの受面４２，４３は、互いに直交する向きを向くようにしても良い。これにより、２つの受面４２，４３は、建物構造体１２のコーナー部などにて、隣接する屋根面４を構成する斜材１１をそれぞれ同時に受けることができる。これにより、建物構造体１２のコーナー部に向きが直交する２つの受面４２，４３を有する斜材固定金具１５（端部金具）を取付けることで、簡単に隅棟６を有する２つの屋根面４を構築することなどができる。
【００８７】
（効果１−５）この実施例にかかる屋根２によれば、斜材固定金具１６，１７を用いることで、斜材固定金具１６，１７と同様の作用効果を得ることができる。
【００８８】
（効果１−６）屋根２は、少なくとも、隅棟６を構成する傾斜した２つの屋根面４を有すると共に、隅棟６の両側に位置する傾斜した２つの屋根面４のうちの一方にのみ太陽電池パネル９１を設置するようにしても良い。これにより、太陽電池パネル９１を備えた屋根面４と、太陽電池パネル９１を備えていない屋根面４（例えば、瓦葺き屋根や、板葺き屋根など）とが、並べて設置される屋根２を容易に構築することができる。
【００８９】
この際、高さが異なる２つの受面４２，４３を有する斜材受部３２を備えた斜材固定金具１６，１７（特に、斜材固定金具１７（端部金具））を用いることにより、例えば、太陽電池パネル９１を備えた屋根面４と、太陽電池パネル９１を備えていない屋根面４とを、上面の高さを揃えて段差なく面一に設置することができる。よって、屋根２の意匠性を向上することができる。
【００９０】
また、勾配５１，５２が異なる２つの受面４２，４３を有する斜材受部３２を備えた斜材固定金具１６，１７を用いることにより、例えば、太陽電池パネル９１を備えた屋根面４と、太陽電池パネル９１を備えていない屋根面４とを、同じ角度に揃えて段差なく面一に設置することができる。よって、屋根２の意匠性を向上することができる。
【００９１】
更に、２つの屋根面４を太陽電池パネル９１などの有無以外は、ほほ同じ基本構造にすることで、屋根面４などの生産性を向上することができる。
【００９２】
（効果１−７）この実施例にかかる建物１によれば、斜材固定金具１６，１７を用いて屋根２を構築することで、斜材固定金具１６，１７と同様の作用効果を得ることができる。
【実施例２】
【００９３】
＜構成＞以下、構成について説明する。
【００９４】
図１５Ａ〜図１５Ｃの実施例、および、図１６Ａ〜図１６Ｃの変形例に示すように、この実施例の軒元側の斜材固定金具１６，１７は、斜材ガイド部３４が、斜材１１の呼込部３４ａを備えている点に特徴がある。
【００９５】
なお、この実施例では、中間金具（斜材固定金具１６）を例として説明しているが、端部金具（斜材固定金具１７）についても同様に呼込部３４ａを設けることができる。その他の部分については、上記実施例１のものとほぼ同じであるため、上記実施例１の記載を以ってこの実施例の記載とし、説明を省略する。
【００９６】
ここで、呼込部３４ａは、斜材１１を斜材ガイド部３４へ呼び込むためのものである。呼込部３４ａは、主に、斜材１１の支軸部３８を斜材ガイド部３４のガイド溝部へと呼び込むものなどとすることができる。
【００９７】
まず、図１５Ａ〜図１５Ｃの実施例に示すように（特に図１５Ｃ参照）、斜材ガイド部３４（のガイド溝部）の入側（または、ガイド溝部の下端部３４ｃよりも上側の位置）に、支軸部３８の直径よりも幅の広い入口部３４ｂを設けて、この幅の広い入口部３４ｂを斜材１１の呼込部３４ａとしても良い。幅の広い入口部３４ｂは、例えば、支軸部３８の直径の２倍程度以上の幅などとするのが好ましい。幅の広い入口部３４ｂを設けることで、広い入口部３４ｂへ支軸部３８を導入した（呼び込んだ）後に、広い入口部３４ｂの内部で支軸部３８の位置を僅かにズラせるだけで支軸部３８をガイド溝部の奥部（下端部３４ｃ）へと容易に導く（落とし込ませる）ことが可能になる。
【００９８】
更に、必要に応じて、この幅の広い入口部３４ｂとガイド溝部の下端部３４ｃとの間に、入口部３４ｂから下端部３４ｃへ向けて徐々に幅が狭くなる漸縮部３４ｄを設けても良い。ガイド溝部の下端部３４ｃは、支軸部３８の直径とほぼ同じ幅となっているガイド溝部の下端側の少なくとも支軸部３８の直径とほぼ同じ高さの部分のことである。漸縮部３４ｄを設けることで、ガイド溝部の広い入口部３４ｂと下端部３４ｃとの間が段差なく繋がるので、ガイド溝部の広い入口部３４ｂから下端部３４ｃへと支軸部３８をスムーズに導くことが可能になる。なお、幅の広い入口部３４ｂや漸縮部３４ｄは、ガイド溝部の片側に設けても両側に設けても良い。また、ガイド溝部の両側に設ける場合には、幅の広い入口部３４ｂや漸縮部３４ｄを、対称的に設けても良いし、非対称に設けても良い。
【００９９】
また、図１６Ａ〜図１６Ｃの変形例に示すように（特に図１６Ｃ参照）、斜材ガイド部３４（のガイド溝部）の入側（斜材固定部３３のウェブ部３３ａの上縁部など）に、斜材固定部３３のフランジ部３３ｂ，３３ｃよりも上方へ延びる立上部３４ｅを設けても良い。
【０１００】
そして、斜材固定部３３（のウェブ部３３ａ）の上縁部や立上部３４ｅの上縁部を、ガイド溝部へ向かって徐々に低くなる傾斜上縁部３４ｆにして、この傾斜上縁部３４ｆを斜材１１の呼込部３４ａとすることができる。傾斜上縁部３４ｆを設けることで、傾斜上縁部３４ｆの上へ支軸部３８を載置するだけで支軸部３８をガイド溝部の奥部（下端部３４ｃ）へと容易に導くことが可能になる。なお、傾斜上縁部３４ｆは、ガイド溝部の片側に設けても両側に設けても良い。また、ガイド溝部の両側に設ける場合には、傾斜上縁部３４ｆを、対称的に設けても良いし、非対称に設けても良い。
【０１０１】
更に、図１５Ａ〜図１５Ｃまたは図１６Ａ〜図１６Ｃに示すように、ガイド溝部の入側（斜材固定部３３のウェブ部３３ａの上縁部など）に、斜材固定部３３のフランジ部３３ｂ，３３ｃよりも上方へ延びる立上部３４ｅを設けた状態で、立上部３４ｅの少なくとも上部また全部を斜材固定金具１６，１７の外側（ウェブ部３３ａのフランジ部３３ｂ，３３ｃのある面の側）へ向けて斜めに屈曲させることで傾斜部３４ｇ（傾斜面部）を形成し、この傾斜部３４ｇを斜材１１の呼込部３４ａにすることができる。傾斜部３４ｇを設けることで、傾斜部３４ｇの上へ斜材１１が載置された時に斜材１１を斜材ガイド部３４の位置（斜材１１の側面が斜材固定部３３のウェブ部３３ａと接する位置）へと容易に導くことが可能になる。
【０１０２】
傾斜部３４ｇは、斜材固定部３３のウェブ部３３ａの延長線に対して６０°〜８０°の角度θで外側へ屈曲させるのが好ましい。なお、傾斜部３４ｇは、ガイド溝部の片側に設けても両側に設けても良い。また、ガイド溝部の両側に設ける場合には、傾斜部３４ｇを、対称的に設けても良いし、非対称に設けても良い。
【０１０３】
そして、上記した各種の呼込部３４ａ（幅の広い入口部３４ｂや漸縮部３４ｄや傾斜上縁部３４ｆや傾斜部３４ｇ）は、適宜組み合わせて設けることができる。
【０１０４】
＜作用効果＞この実施例によれば、以下のような作用効果を得ることができる。
【０１０５】
軒元側の斜材固定金具１６，１７の斜材ガイド部３４に、斜材１１に対する呼込部３４ａを設けるようにしても良い。これにより、建物構造体１２（や屋根構造体１３）に斜材１１を据付ける時に、斜材ガイド部３４（のガイド溝）に対する斜材１１（の支軸部３８）の嵌め合わせのための位置調整を厳密に行う必要がなくなり、呼込部３４ａによって、大雑把な作業であってもガイド溝に支軸部３８が容易に嵌め合わせられると共に、嵌め合わせ後に支軸部３８がガイド溝部の下端部３４ｃへと確実に導かれるため、斜材１１の据付けに要する手間と時間を削減することができる。
【０１０６】
また、呼込部３４ａを設けていないものと比べて、呼込部３４ａを設けたもの（軒元側の斜材固定金具１６，１７）は、外部から斜材ガイド部３４（のガイド溝）の周辺が視認し易くなるため、近くからガイド溝部の周辺を覗き込みながら斜材１１の据付作業を行う必要がなくなり、少し離れた位置から見ながらでも据付作業を行うことができるようになる。よって、作業の容易性や安全性を向上することができると共に、斜材１１の据付作業に必要な人員を削減したり、人員配置を簡便化したりすることもできるようになる。
【０１０７】
この際、図１５Ａ〜図１５Ｃの実施例に示すように、斜材ガイド部３４（ガイド溝部）の入側に幅の広い入口部３４ｂを設けることによって、ガイド溝に対する支軸部３８の呼込みを行うことができ、ガイド溝と支軸部３８との嵌め合わせによる斜材１１の長手方向（または斜材固定部３３のウェブ部３３ａの幅方向）に対する支軸部３８の位置出しを容易に行わせることが可能になる。
【０１０８】
更に、幅の広い入口部３４ｂとガイド溝部の下端部３４ｃとの間に漸縮部３４ｄを設けることによって、幅の広い入口部３４ｂに嵌め合わされた支軸部３８をガイド溝部の下端部３４ｃへ向けてスムーズに案内することができる。
【０１０９】
また、図１６Ａ〜図１６Ｃの変形例に示すように、ガイド溝部の入側に傾斜上縁部３４ｆなどを設けて、傾斜上縁部３４ｆに支軸部３８を案内させることによって、ガイド溝に対する支軸部３８の呼込み行うことができ、ガイド溝と支軸部３８との嵌め合わせによる斜材１１の長手方向（または斜材固定部３３のウェブ部３３ａの幅方向）に対する支軸部３８の位置出しを容易かつスムーズに行わせることが可能になる。
【０１１０】
そして、図１５Ａ〜図１５Ｃの実施例または図１６Ａ〜図１６Ｃの変形例に示すように、ガイド溝部の入側に傾斜部３４ｇを設けて、傾斜部３４ｇに斜材１１を案内させることによって、斜材１１の幅方向（または斜材固定部３３のフランジ部３３ｂ，３３ｃの幅方向）に対する斜材１１の位置出しを容易かつスムーズに行わせることが可能になる。そして、幅の広い入口部３４ｂや傾斜上縁部３４ｆへ支軸部３８を呼び込む前に、傾斜部３４ｇによって斜材ガイド部３４に対する斜材１１の幅方向位置出しを行うことで、幅の広い入口部３４ｂや傾斜上縁部３４ｆへ支軸部３８を呼び込むことがより容易かつ確実になる。
【０１１１】
以上、この発明の実施の形態を図面により詳述してきたが、実施の形態はこの発明の例示にしか過ぎないものである。よって、この発明は実施の形態の構成にのみ限定されるものではなく、この発明の要旨を逸脱しない範囲の設計の変更等があってもこの発明に含まれることは勿論である。また、例えば、各実施の形態に複数の構成が含まれている場合には、特に記載がなくとも、これらの構成の可能な組合せが含まれることは勿論である。また、実施の形態に複数の実施例や変形例がこの発明のものとして開示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【０１１２】
１      建物
２      屋根
４      屋根面
６      隅棟
１１    斜材
１２    建物構造体
１６    斜材固定金具
１７    斜材固定金具
２５    上下方向
３１    建物固定部
３２    斜材受部
３３    斜材固定部
３４    斜材ガイド部
３４ａ  呼込部
３４ｂ  入口部
３４ｆ  傾斜上縁部
３４ｇ  傾斜部（傾斜面部）
４１    高低差
４２    受面
４３    受面
５１    勾配
５２    勾配
９１    太陽電池パネル
【図１】
2019056291.tif 000003
【図２】
2019056291.tif 000004
【図３】
2019056291.tif 000005
【図４】
2019056291.tif 000006
【図５】
2019056291.tif 000007
【図６】
2019056291.tif 000008
【図７Ａ】
2019056291.tif 000009
【図７Ｂ】
2019056291.tif 000010
【図８】
2019056291.tif 000011
【図９】
2019056291.tif 000012
【図１０Ａ】
2019056291.tif 000013
【図１０Ｂ】
2019056291.tif 000014
【図１０Ｃ】
2019056291.tif 000015
【図１０Ｄ】
2019056291.tif 000016
【図１０Ｅ】
2019056291.tif 000017
【図１１】
2019056291.tif 000018
【図１２】
2019056291.tif 000019
【図１３Ａ】
2019056291.tif 000020
【図１３Ｂ】
2019056291.tif 000021
【図１３Ｃ】
2019056291.tif 000022
【図１４】
2019056291.tif 000023
【図１５Ａ】
2019056291.tif 000024
【図１５Ｂ】
2019056291.tif 000025
【図１５Ｃ】
2019056291.tif 000026
【図１６Ａ】
2019056291.tif 000027
【図１６Ｂ】
2019056291.tif 000028
【図１６Ｃ】
2019056291.tif 000029